(57)【要約】【課題】製造コストを低減できる回路遮断器の付属装置および回路遮断器を提案する。【解決手段】開閉接点、および過電流に応じて前記開閉接点を開路するトリップ機構を備えた回路遮断器の内部に装着され、開閉接点の開閉状態と、トリップ機構の作動状態との一方に対応した電気信号を出力する回路遮断器の付属装置であって、電気信号を発生するスイッチユニットと、電気信号を外部へ導出する接続ユニットを有し、スイッチユニットと接続ユニットが、互いに着脱可能に結合された回路遮断器の付属装置が提案され、またこの付属装置を装着した回路遮断器が提案される。【選択図】図５Ａ
2009181784.tif 000002
【特許請求の範囲】
【請求項１】
開閉接点、および過電流に応じて前記開閉接点を開路するトリップ機構を備えた回路遮断器の内部に装着され、前記開閉接点の開閉状態と、前記トリップ機構の作動状態との一方に対応した電気信号を出力する回路遮断器の付属装置であって、
前記電気信号を発生するスイッチユニットと、前記電気信号を外部へ出力する接続ユニットを有し、前記スイッチユニットと接続ユニットが、互いに着脱可能に結合されたことを特徴とする回路遮断器の付属装置。
【請求項２】
請求項１記載の回路遮断器の付属装置であって、前記スイッチユニットと接続ユニットが、プラグイン接続により、互いに着脱可能に結合されたことを特徴とする回路遮断器の付属装置。
【請求項３】
請求項１記載の回路遮断器の付属装置であって、前記接続ユニットとしてリード線付設タイプの接続ユニットが使用され、前記電気信号が前記接続リードを通じて導出されることを特徴とする回路遮断器の付属装置。
【請求項４】
請求項１記載の回路遮断器の付属装置であって、前記接続ユニットとして接続端子付設置タイプの接続ユニットが使用され、前記電気信号が前記接続端子に出力されることを特徴とする回路遮断器の付属装置。
【請求項５】
請求項１記載の回路遮断器の付属装置であって、前記開閉接点の開閉状態に対応して前記電気信号を出力する第１の機能と、前記トリップ機構の作動状態に対応して前記電気信号を出力する第２の機能との何れかを選択できるように構成され、
前記スイッチユニットと接続ユニットは、前記第１の機能が選択されるときには、第１の結合状態で結合され、また前記第２の機能が選択されるときには、前記第１の結合状態とは異なる第２の結合状態で結合されることを特徴とする回路遮断器の付属装置。
【請求項６】
請求項５記載の回路遮断器の付属装置であって、前記スイッチユニットと接続ユニットは、ともにほぼ箱形形状とされ、それぞれ相対向する第１、第２側面を有し、前記第１の結合状態では、前記接続ユニットの第１側面と前記スイッチユニットの第１側面とが、互いに同じ方向に向くように、前記スイッチユニットと接続ユニットとが結合され、また、前記第２の結合状態では、前記接続ユニットの第１側面と前記スイッチユニットの第２側面とが、互いに同じ方向に向くように、前記スイッチと接続ユニットとが結合されることを特徴とする回路遮断器の付属装置。
【請求項７】
請求項５記載の回路遮断器の付属装置であって、前記スイッチユニットは、前記第１の機能に対応した第１の機能表示部と、前記第２の機能に対応した第２の機能表示部を有し、前記第１の結合状態では、前記接続ユニットが前記第１の機能表示部を露出し、前記第２の機能表示部を遮蔽するように前記スイッチユニットに結合され、また、前記第２の結合状態では、前記接続ユニットが前記第１の機能表示部を遮蔽し、前記第２の機能表示部を露出するように前記スイッチユニットに結合されることを特徴とする回路遮断器の付属装置。
【請求項８】
請求項５記載の回路遮断器の付属装置であって、前記スイッチユニットは、前記第１の機能に対応する第１の端子配列表示部と、前記第２の機能に対応する第２の端子配列表示部を有し、前記第１の結合状態では、前記接続ユニットが前記第１の端子配列表示部を露出し、前記第２の端子配列表示部を遮蔽するように前記スイッチユニットに結合され、また、前記第２の結合状態では、前記接続ユニットが前記第１の端子配列表示部を遮蔽し、前記第２の端子配列表示部を露出するように前記スイッチユニットに結合されることを特
徴とする回路遮断器の付属装置。
【請求項９】
請求項５記載の回路遮断器の付属装置であって、前記接続ユニットは、その上面の一側に上位面を有し、その上面の他側に前記上位面よりも低く位置する下位面を有することを特徴とする回路遮断器の付属装置。
【請求項１０】
開閉接点、および過電流に応じて前記開閉接点を開路するトリップ機構が配置された遮断器ベースと、この遮断器ベース上に配置された遮断器下カバーと、この遮断器下カバーを覆うように取り付けられた遮断器上カバーとを備えた回路遮断器であって、前記遮断器下カバーに形成された取付部分に、請求項１〜８のいずれか一項に記載した付属装置が装着されたことを特徴とする回路遮断器。
【請求項１１】
開閉接点、および過電流に応じて前記開閉接点を開路するトリップ機能が配置された遮断器ベースと、この遮断器ベース上に配置された遮断器下カバーと、この遮断器下カバーを覆うように取り付けられた遮断器上カバーとを備えた回路遮断器であって、前記遮断器下カバーに形成された取付部分に、請求項９に記載した付属装置が装着され、
前記遮断器上カバーは突起部を有し、前記付属装置が正常配置された状態では、前記突起部が前記下位面に対向し、また、前記付属装置が前記正常配置と逆向きで配置された状態では、前記突起部が前記上位面に当接することを特徴とする回路遮断器。
【発明の詳細な説明】
【技術分野】
【０００１】
この発明は、開閉接点、および過電流に応じて前記開閉接点を開路するトリップ機構を備えた回路遮断器の内部に装着され、前記開閉接点の開閉状態と、前記トリップ機構の作動状態との一方に対応した電気信号を出力する回路遮断器の付属装置、およびこの付属装置を備えた回路遮断器に関するものである。
【背景技術】
【０００２】
この種の付属装置は、回路遮断器の内部に装着されており、その電気信号を回路遮断器の外部へ出力するのに、２種類の接続タイプが採用される。例えば、特許文献１（特開平６−１３９９１０号公報）の図４に示された付属装置２には、リード線７が付設されており、付属装置２は、このリード線７を通じて回路遮断器の外部に配置された外部接続端子台６に接続される。また、例えば特許文献２（特開２０００−１１８４４号公報）の図１に示される付属装置２６には、リード線２６ａが付設されており、付属装置２６からの電気信号は、このリード線２６ａを通じて、回路遮断器の外部に出力される。
【０００３】
これらの特許文献１、２に示された付属装置は、付属装置にリード線を付設したリード線付設タイプであるが、これとは異なり、付属装置に接続端子を付設した接続端子付設タイプもあり、この接続端子付設タイプの付属装置は、例えば特許文献３（特開平８−３２９８１８号公報）のコラム３の３０〜３４行に説明されている。この接続端子付設タイプの付属装置では、その接続端子に電気信号が出力され、この接続端子に端子台８が接続され、この端子台８には付属装置と別に準備されたリード線が接続され、電気信号が引出される。
【０００４】
【特許文献１】特開平６−１３９９１０号公報
【特許文献２】特開２０００−１１８４４号公報
【特許文献３】特開平８−３２９８１８号公報
【発明の開示】
【発明が解決しようとする課題】
【０００５】
このように、付属装置には、リード線付設タイプと接続端子付設タイプとがあるが、付属装置は、これらのリード線付設タイプと接続端子付設タイプとを別に準備する必要があり、その製作コストが上昇する。
【０００６】
この発明の第１の目的は、付属装置の主要部品であるスイッチユニットを、リード線付設タイプと接続端子付設タイプとのそれぞれに共用できるように改良された回路遮断器の付属装置を提案することである。
【０００７】
また、この発明の第２の目的は、付属装置の主要部品であるスイッチユニットを、リード線付設タイプと接続端子付設タイプとのそれぞれに共用できるようにし、併せて、回路遮断器の開閉接点の開閉状態に対応して第１の電気信号を発生する第１の機能と、回路遮断器のトリップ機構の作動状態に対応して第２の電気信号を発生する第２の機能を選択できるように改良した回路遮断器の付属装置を提案することである。
【０００８】
また、この発明の第３の目的は、改良された回路遮断器の付属装置を備えた回路遮断器を提案することである。
【課題を解決するための手段】
【０００９】
この発明の第１の観点による回路遮断器の付属装置は、開閉接点、および過電流に応じて前記開閉接点を開路するトリップ機構を備えた回路遮断器の内部に装着され、前記開閉接点の開閉状態と、前記トリップ機構の作動状態との一方に対応した電気信号を出力する回路遮断器の付属装置であって、前記電気信号を発生するスイッチユニットと、前記電気信号を外部へ出力する接続ユニットを有し、前記スイッチユニットと接続ユニットが、互いに着脱可能に結合されたことを特徴とする。
【００１０】
また、この発明の第２の観点における回路遮断器の付属装置は、前記第１の観点による回路遮断器の付属装置が、さらに、前記開閉接点の開閉状態に対応して前記電気信号を出力する第１の機能と、前記トリップ機構の作動状態に対応して前記電気信号を出力する第２の機能とのいずれかを選択できるように構成され、前記スイッチユニットと接続ユニットは、前記第１の機能が選択されるときには、前記第１の結合状態で結合され、また前記第２の機能が選択されるときには、前記第２の結合状態で結合されることを特徴とする。
【００１１】
また、この発明の第３の観点による回路遮断器は、開閉接点、および過電流に応じて前記開閉接点を開路するトリップ機構が配置された遮断器ベースと、この遮断器ベース上に配置された遮断器下カバーと、この遮断器下カバーを覆うように取り付けられた遮断器上カバーとを備えた回路遮断器であって、前記遮断器下カバーに形成された取付部分に、前記第１、第２の観点による付属装置を装着したことを特徴とする。
【発明の効果】
【００１２】
この発明の第１の観点による回路遮断器の付属装置は、電気信号を発生するスイッチユニットと、電気信号を外部へ出力する接続ユニットを有し、前記スイッチユニットと接続ユニットが、互いに着脱可能に結合可能に結合されたので、その付属装置の主要部品であるスイッチユニットは、リード線付設タイプの接続ユニットおよび接続端子付設タイプの接続ユニットに共用することができ、その付属装置の製造コストを低減することができる。
【００１３】
この発明の第２の観点による回路遮断器の付属装置は、さらに、前記開閉接点の開閉状態に対応して前記電気信号を出力する第１の機能と、前記トリップ機構の作動状態に対応して前記電気信号を出力する第２の機能とのいずれかを選択できるように構成され、前記スイッチユニットと接続ユニットは、前記第１の機能が選択されるときには、前記第１の結合状態で結合され、また前記第２の機能が選択されるときには、前記第２の結合状態で結合されるので、第１の機能と第２の機能を選択することができ、第１の機能と第２の機能について、付属装置を共用し、その付属装置の製造コストをさらに低減することができる。
【００１４】
また、この発明の第３の観点による回路遮断器でも、付属装置の製造コストの低減に基づいて、その製造価格を低減することができる。また、第１の機能と第２の機能を選択できる付属装置を備えた回路遮断器では、第１の機能と第２の機能を選択した回路遮断器を得ることができ、さらに、回路遮断器の製造コストをさらに、低減することができる。
【発明を実施するための最良の形態】
【００１５】
以下この発明のいくつかの実施の形態について、図面を参照して説明する。
【００１６】
［リード線付設タイプの接続ユニットの説明］
まず、この発明による回路遮断器の付属装置において使用されるリード線付設タイプの接続ユニット１０について、図１（ａ）（ｂ）を参照して説明する。図１（ａ）は、リード線付設タイプの接続ユニット１０の正面図、図１（ｂ）はその上面図である。
【００１７】
リード線付設タイプの接続ユニット１０は、ケース１１と、複数のリード線１７と、複数の接続プラグ１８を備えている。ケース１１は、ケース本体１２と、リード線付設部１３と、機能表示部に対する遮蔽片１４と、端子配列表示部に対する遮蔽片１５を有する。
【００１８】
ケース本体１２は、樹脂により、直方体の箱形形状に作られる。このケース本体１２は、横幅Ｗ１と、高さＨ１と、奥行Ｌ１を持っている。ケース本体１２は、正面１２Ａと、背面１２Ｂと、上面１２Ｃと、下面１２Ｄと、第１側面１２Ｅと、第２側面１２Ｆを有する。正面１２Ａと背面１２Ｂは、互いに平行に形成され、互いに対向している。上面１２Ｃと下面１２Ｄは、互いに平行に形成され、互いに対向している。第１側面１２Ｅと第２側面１２Ｆは、互いに平行に形成され、互いに対向している。
【００１９】
リード線付設部１３は、ケース本体１２の上面１２Ｃの第１側面１２Ｅに隣接する部分に上方へ突出して箱形に形成され、このリード線付設部１３から、複数のリード線１７が上面１２Ｃとほぼ平行に、右側に向かって導出される。機能表示部に対する遮蔽片１４は、ケース本体１２の正面１２Ａと平行に延びる板状片であり、正面１２Ａの第１側面１２Ｅに隣接する部分に下方に向かって突出して、ケース本体１２と一体に形成される。この遮蔽片１４は、奥行Ｌ１と平行な方向には、極く僅かな厚さを持っている。端子配列表示部に対する遮蔽片１５は、第１側面１２Ｅの下端に左側へ突出して形成された板状片であり、ケース本体１２の下面１２Ｄと平行に延びるようにして、ケース本体１２と一体に形成される。この遮蔽片１５は、高さＨ１の方向には、極く僅かな厚さを持っている。
【００２０】
接続ユニット１０について、互いに直交する第１、第２基準垂直面Ｖ１、Ｖ２を想定する。第１基準垂直面Ｖ１は、正面１２Ａおよび背面１２Ｂに平行であって、正面１２Ａと背面１２Ｂのちょうど中間を通る垂直平面である。第２基準垂直面Ｖ２は、第１側面１２Ｅおよび第２側面１２Ｆに平行であって、第１側面１２Ｅと第２側面１２Ｆのちょうど中間を通る垂直平面である。
【００２１】
複数のリード線１７は、第１基準垂直面Ｖ１と略平行に、リード線付設部１３から導出される。この複数のリード線１７は、３本のリード線１７ａ、１７ｂ、１７ｃを含む。複数の接続プラグ１８は、３つの接続プラグ１８ａ、１８ｂ、１８ｃを含む。これらの接続プラグ１８ａ、１８ｂ、１８ｃは、ケース本体１２の下面１２Ｄに、第１基準垂直面Ｖ１上に配置される。中央の接続プラグ１８ｂは、第１、第２基準垂直面Ｖ１、Ｖ２の交点に配置され、他の両側の接続プラグ１８ａ、１８ｃは、接続プラグ１８ｂから、互いに等しい距離ａだけ離れ、第１基準垂直面Ｖ１上に配置される。結果として、接続プラグ１８ａ、１８ｂ、１８ｃは、第２基準垂直面Ｖ２に関して対象に配置される。接続プラグ１８ａ、１８ｂ、１８ｃは、ケース本体１２の内部において、リード線１７ａ、１７ｂ、１７ｃにそれぞれ接続される。
【００２２】
リード線付設部１３の上面には、ケース本体１２の上面１２Ｃよりも高い上位面Ｓｕが形成される。ケース本体１２の上面１２Ｃは、リード付設部１３の上面１３Ｃよりも低く位置する下位面Ｓｄを形成する。上位面Ｓｕは、リード線付設部１３の上面１３Ｃの第１側面１２Ｅに隣接する部分に形成され、また、下位面Ｓｄは、上面１２Ｃに形成される。
【００２３】
［接続端子付設タイプの接続ユニットの説明］
次に、この発明による回路遮断器の付属装置において使用される接続端子付設タイプの接続ユニット２０について、図２（ａ）（ｂ）を参照して説明する。図２（ａ）は、接続端子付設タイプの接続ユニット２０の正面図、図２（ｂ）はその上面図である。
【００２４】
接続端子付設タイプの接続ユニット２０は、ケース２１と、複数の接続端子２７と、複数の接続プラグ２８を備えている。ケース２１は、ケース本体２２と、接続端子付設部２
３と、機能表示部に対する遮蔽片２４と、端子配列表示部に対する遮蔽片２５を有する。
【００２５】
ケース本体２２は、樹脂により、直方体の箱形形状に作られる。このケース本体２２は、横幅Ｗ１と、高さＨ１と、奥行Ｌ１とを持ち、これらの横幅Ｗ１、高さＨ１、奥行Ｌ１は、リード線付設タイプの接続ユニット１０におけるケース本体１２の横幅Ｗ１、高さＨ１、奥行Ｌ１と、それぞれ同じ寸法とされている。ケース本体２２は、正面２２Ａと、背面２２Ｂと、上面２２Ｃと、下面２２Ｄと、第１側面２２Ｅと、第２側面２２Ｆを有する。正面２２Ａと背面２２Ｂは、互いに平行に形成され、互いに対向している。上面２２Ｃと下面２２Ｄは、互いに平行に形成され、互いに対向している。第１側面２２Ｅと第２側面２２Ｆは、互いに平行に形成され、互いに対向している。
【００２６】
接続端子付設部２３は、ケース本体２２の上部に形成された一対の壁２３１、２３２の間に配置される。一対の壁２３１、２３２は、第１部分２３ａと第２部分２３ｂを含む。第１部分２３ａは、ケース本体２２の上面２２Ｃを形成する。第２部分２３ｂは、第１側面２２Ｅに隣接し、第１部分２３ａよりも上方に突出している。接続端子付設部２３には、複数の接続端子２７が配置される。この複数の接続端子２７は、３つの接続端子２７ａ、２７ｂ、２７ｃを含む。接続端子２７ａは、第２部分２３ｂの間に配置され、他の接続端子２７ｂ、２７ｃは、第１部分２３ａの間に配置される。
【００２７】
機能表示に対する遮蔽片２４は、ケース本体２２の正面２２Ａと平行に延びる板状片であり、正面２２Ａの第１側面２２Ｅに隣接する部分に下方に向かって突出して、ケース本体２２と一体に樹脂で形成される。この遮蔽片２４は、奥行Ｌ１と平行な方向には、極く僅かな厚さを持っている。端子配列表示に対する遮蔽片２５は、第１側面２２Ｅの下端に左側へ突出して形成された板状片であり、ケース本体２２と一体に樹脂で形成される。この遮蔽片２５は、ケース本体２２の下面２２Ｄと平行に延びており、高さＨ１の方向には、極く僅かな厚さを持っている。
【００２８】
接続ユニット２０について、互いに直交する第１、第２基準垂直面Ｖ３、Ｖ４を想定する。第１基準垂直面Ｖ３は、正面２２Ａおよび背面２２Ｂに平行であって、正面２２Ａと背面２２Ｂのちょうど中間を通る垂直平面である。第２基準垂直面Ｖ４は、第１側面２２Ｅおよび第２側面２２Ｆに平行であって、第１側面２２Ｅと第２側面２２Ｆのちょうど中間を通る垂直平面である。
【００２９】
３つの接続端子２７ａ、２７ｂ、２７ｃは、第１基準垂直面Ｖ３上に配置される。中央の接続端子２７ｂは、第１、第２基準垂直面Ｖ３、Ｖ４の交点に配置される。他の両側の接続端子２７ａ、２７ｃは、中央の接続端子２７ｂから、互いに等しい距離だけ離れて配置される。複数の接続プラグ２８は、３つの接続プラグ２８ａ、２８ｂ、２８ｃを含む。これらの接続プラグ２８ａ、２８ｂ、２８ｃは、本体ケース２２の下面２２Ｄに、第１基準垂直面Ｖ３上に配置される。中央の接続プラグ２８ｂは、第１、第２基準垂直面Ｖ３、Ｖ４の交点に配置され、他の両側の接続プラグ２８ａ、２８ｃは、接続プラグ２８ｂから、互いに等しい距離ａだけ離れ、第１基準垂直面Ｖ３上に配置される。この距離ａは、リード線付設タイプの接続ユニット１０における接続プラグ１８ｂと、接続プラグ１８ａ、１８ｃとの距離ａに等しい。結果として、接続プラグ２８ａ、２８ｂ、２８ｃは、第２基準垂直面Ｖ４に関して対象に配置される。接続プラグ２８ａ、２８ｂ、２８ｃは、ケース本体２２の内部において、接続端子２７ａ、２７ｂ、２７ｃにそれぞれ接続される。接続端子２７ａの上面は、ケース本体２２の上面２２Ｃよりも高い上位面Ｓｕを形成する。接続端子２７ｃの上面は、ケース本体２２の上面２２Ｃよりも低い下位面Ｓｄを形成する。接続端子２７ｂの上面は、上位面Ｓｕと低位面Ｓｄの中間に位置する。
【００３０】
［スイッチユニット３０の説明］
続いて、この発明による付属装置で使用されるスイッチユニット３０について説明する。このスイッチユニット３０は、図３（ａ）（ｂ）（ｃ）に示される。図３（ａ）は、スイッチユニット３０の正面図、図３（ｂ）はその上面図、図３（ｃ）はその背面図である。スイッチユニット３０は、ケース３１を有し、このケース３１の内部に電気信号を発生するマイクロスイッチなどのスイッチ素子を内蔵する。ケース３１は、直方体の箱形形状に作られたケース本体３２と、このケース本体３２の両側の上端に形成された一対の突出片３３Ａ、３３Ｂを有する。これらのケース本体３２と、一対の突出片３３Ａ、３３Ｂは、樹脂により一体に構成される。
【００３１】
ケース本体３２は、横幅Ｗ１と、高さＨ２と、奥行Ｌ１とを持っている。ケース本体３２の横幅Ｗ１、奥行Ｌ１は、それぞれ接続ユニット１０、２０の横幅Ｗ１、奥行Ｌ１と同じ寸法とされる。ケース本体３２の高さＨ２は、接続ユニット１０、２０の高さＨ１より小さくされる。ケース本体３２は、正面３２Ａと、背面３２Ｂと、上面３２Ｃと、下面３２Ｄと、第１側面３２Ｅと、第２側面３２Ｆを有する。正面３２Ａと背面３２Ｂは、互いに平行に形成され、互いに対向している。上面３２Ｃと下面３２Ｄも、互いに平行に形成されている。第１側面３２Ｅと第２側面３２Ｆは、互いに平行な平面であり、互いに対向している。これらの第１側面３２Ｅの上端から突出片３３Ｂが、また第２側面３２Ｆの上端から突出片３３Ａが、それぞれ突出している。
【００３２】
スイッチユニット３０について、互いに直交する第１、第２の基準垂直面Ｖ５、Ｖ６を想定し、また第３基準垂直面Ｖ７を想定する。第１基準垂直面Ｖ５は、正面３２Ａおよび背面３２Ｂに平行であり、正面３２Ａと背面３２Ｂのちょうど中間を通る垂直平面である。第２基準垂直面Ｖ６は、第１側面３２Ｅおよび第２側面３２Ｆに平行であり、第１側面３２Ｅと第２側面３２Ｆのちょうど中間を通る垂直平面である。第３基準垂直面Ｖ７は、第２基準垂直面Ｖ６と第２側面３２Ｆとの間において、第２基準垂直面Ｖ６と平行な垂直平面である。
【００３３】
スイッチユニット３０は、上面３２Ｃに、複数の接続ピン３４を有し、この複数の接続ピン３４は、３つの接続ピン３４ａ、３４ｂ、３４ｃを含む。これらの３つの接続ピン３４ａ、３４ｂ、３４ｃは、第１基準垂直面Ｖ５上に並ぶように、上面３２Ｃに配置される。中央の接続ピン３４ｂは、第１基準垂直面Ｖ５と第２基準垂直面Ｖ６との交点に配置される。両側の接続ピン３４ａ、３４ｃは、互いに等しい距離ａだけ、接続ピン３４ｂから離れた位置に配置される。結果として、接続ピン２８ａ、２８ｂ、２８ｃは、第２基準垂直面Ｖ６に関して対象に配置される。距離ａは、接続ユニット１０、２０における距離ａと同じ寸法とされる。
【００３４】
スイッチユニット３０は、下面３２Ｄに、アクチュエータ３５を有する。このアクチュエータ３５は、第３基準垂直面Ｖ７上に配置される。このアクチュエータ３５は、スイッチユニット３０のケース本体３２の中に収納されたマイクロスイッチなどのスイッチ素子を駆動する。このアクチュエータ３５は、回路遮断器の可動接点軸に連結された可動接点側アクチュエータと、トリップ機構に連結されたトリップ機構側アクチュエータの何れか一方に選択的に対向配置される。なお、回路遮断器の可動接点側アクチュエータおよびトリップ機構側アクチュエータは、例えばこの発明の出願人と同じ出願人による特開２００７−３１７４６４号公報の図４、図５に図示され、そのコラム４の１５〜２４行に説明されている。この特開２００７−３１７４６４号公報の図４、図５において、可動接点側アクチュエータは符号８で、またトリップ機構側アクチュエータは符号９でそれぞれ図示されており、作動レバー２がこれらのアクチュエータ８、９に選択的に対向配置される。特開２００７−３１７４６４号公報における作動レバー２が、この発明において使用されるスイッチユニット３０のアクチュエータ３５に相当する。
【００３５】
スイッチユニット３０が第１の機能ＡＸを選択する場合には、アクチュエータ３５は、回路遮断器の可動接点側アクチュエータに対向配置され、回路遮断器の可動接点が開路された場合に、可動接点側アクチュエータにより押し上げられ、スイッチユニット３０は、第１の機能ＡＸに対応した電気信号ＳＡＸを発生する。スイッチユニット３０が第２の機能ＡＬを選択する場合には、アクチュエータ３５は、回路遮断器のトリップ機構側アクチュエータに対向配置され、回路遮断器のトリップ機構が作動した場合に、トリップ機構側アクチュエータにより押し上げられ、スイッチユニット３０は、第２の機能ＡＬに対応した電気信号ＳＡＬを発生する。
【００３６】
スイッチユニット３０の正面３２Ａには、第２の機能表示部３７Ｂが形成される。この第２の機能表示部３７Ｂは、正面３２Ａの左上部分に形成された窪み部であり、この窪み部に第２の機能ＡＬに対応する文字ＡＬが表示されている。スイッチユニット３０の背面３２Ｂには、第１の機能表示部３７Ａが形成される。この第１の機能表示部３７Ａは、背面３２Ｂの左上部分に形成された窪み部であり、この窪み部に第１の機能ＡＸに対応する文字ＡＸが表示されている。
【００３７】
一対の突出片３３Ａ、３３Ｂの上面には、それぞれ第１、第２の端子配列表示部３８Ａ、３８Ｂが設けられる。第１の端子配列表示部３８Ａは、突出片３３Ａの上面に設けられ、この第１の端子配列表示部３８Ａには、正面３２Ａから背面３２Ｂに向かって端子配列番号１、２、４が表示される。第２の端子配列表示部３８Ｂは、突出片３３Ｂの上面に設けられ、この第２の端子配列表示部３８Ｂには、正面３２Ａから背面３２Ｂに向かって端子配列番号１、２、４が表示される。
【００３８】
［実施の形態１］
さて、この発明による回路遮断器の付属装置の実施の形態１について、図４を参照して説明する。図４は、この実施の形態１による回路遮断器の付属装置５０Ａの正面図である。
【００３９】
この実施の形態１の付属装置５０Ａは、図１（ａ）（ｂ）に示すリード線付設タイプの接続ユニット１０と、図３（ａ）（ｂ）（ｃ）に示すスイッチユニット３０を組み合わせて構成される。実施の形態１の付属装置５０Ａでは、これらの接続ユニット１０と、スイッチユニット３０が、第１の結合状態で互いに結合される。
【００４０】
第１の結合状態では、第１基準垂直面Ｖ１、Ｖ５が互いに共通の平面上に位置し、また、第２基準垂直面Ｖ２、Ｖ６が互いに同じ平面上に位置するようにして、接続ユニット１０の下部に、スイッチユニット３０が結合される。第２基準垂直面Ｖ２、Ｖ６が共通に存在する共通平面を、図４において符号Ｖａで示している。この共通平面Ｖａは、各ユニット１０、３０の第１側面１２Ｅ、３２Ｅと、各ユニット１０、３０の第２側面１２Ｆ、３２Ｆのちょうど中間を通る垂直平面である。
【００４１】
第１の結合状態では、接続ユニット１０およびスイッチユニット３０は、ともに第１配置状態となって、互いに結合される。接続ユニット１０の第１配置状態では、接続ユニット１０は、図１（ａ）（ｂ）に示すように、その正面１２Ａが正面を向き、その第１側面１２Ｅが左側を向き、さらに、その第２側面１２Ｆが右側を向く状態にある。スイッチユニット３０の第１配置状態では、スイッチユニット３０は、図３（ａ）（ｂ）（ｃ）に示すように、その正面３２Ａが正面を向き、その第１側面３２Ｅが左側を向き、また、その第２側面３２Ｆが右側を向く状態にある。
【００４２】
第１の結合状態では、結果として、各ユニット１０、３０の正面１２Ａ、３２Ａがともに正面を向き、各ユニット１０、３０の第１側面１２Ｅ、３２Ｅがともに左側を向き、ま
た、各ユニット１０、３０の第２側面１２Ｆ、３２Ｆがともに右側を向く状態で、各ユニット１０、３０が結合される。この第１の結合状態では、接続ユニット１０の下面１２Ｄは、スイッチユニット３０の上面３２Ｃに接触する状態となる。
【００４３】
接続ユニット１０とスイッチユニット３０との結合は、接続ユニット１０の接続プラグ１８ａ、１８ｂ、１８ｃに、スイッチユニット３０の接続ピン３４ａ、３４ｂ、３４ｃを挿入するプラグイン接続によって行なわれる。接続ピン３４ａは接続プラグ１８ａに、接続ピン３４ｂは接続プラグ１８ｂに、接続ピン３４ｃは、接続プラグ１８ｃにそれぞれ密着して嵌め込まれ、これらの接続ピン３４ａ、３４ｂ、３４ｃと接続プラグ１８ａ、１８ｂ、１８ｃとのプラグイン接続により、接続ユニット１０とスイッチユニット３０との結合状態が保持される。接続ユニット１０における接続プラグ１８ａ、１８ｂ、１８ｃの間隔ａと、スイッチユニット３０における接続ピン３４ａ、３４ｂ、３４ｃの間隔ａとが互いに等しいので、接続ピン３４ａ、３４ｂ、３４ｃは、それぞれ接続プラグ１８ａ、１８ｂ、１８ｃに密着して嵌め込まれる。
【００４４】
各ユニット１０、３０の第１の結合状態において、アクチュエータ３５は、図４に示すように、共通平面Ｖａよりも右側位置に存在する。この右側位置では、付属装置５０Ａが回路遮断器に取り付けられたときに、アクチュエータ３５は、回路遮断器の可動接点側アクチュエータに対向配置され、付属装置５０Ａは、回路遮断器の開閉接点の開閉状態に対応する第１の機能ＡＸを採用する。この第１の機能ＡＸは、補助スイッチ機能とも呼ばれ、付属装置５０Ａは、回路遮断器の開閉接点の開閉状態に対応する電気信号ＳＡＸを発生する。
【００４５】
各ユニット１０、３０の第１の結合状態では、付属装置５０Ａが第１の機能ＡＸを採用することに対応して、接続ユニット１０の遮蔽片１４が、第２の機能表示部３７Ｂを遮蔽し、また接続ユニット１０の遮蔽片１５が、第２の端子配列表示部３８Ｂを遮蔽する。しかし、各ユニット１０、３０の第１の結合状態では、第１の機能表示部３７Ａは露出され、また第１の端子配列表示部３８Ａも露出される。結果として、実施の形態１の付属装置５０Ａでは、第１の機能表示部３７Ａが露出され、付属装置５０Ａが第１の機能ＡＸを採用していることを表示する。また、第１の機能ＡＸに対応する第１の端子配列表示部３８Ａが露出される。
【００４６】
［実施の形態１の付属装置と回路遮断器との関係］
実施の形態１の付属装置５０Ａと回路遮断器との関係について、図５、図５Ａ、図５Ｂを参照して説明する。図５は、付属装置５０Ａと、この付属装置５０Ａに付属する外部接続端子台６０と、付属装置５０Ａを組み込む回路遮断器７０を示す分解斜視図である。図５Ａは、図５に対応した付属装置５０Ａの分解斜視図、図５Ｂは、付属装置５０Ａの取付部分７２Ｄを拡大して示す斜視図である。
【００４７】
図５において、回路遮断器７０は、遮断器ベース７１と、遮断器下カバー７２と、遮断器上カバー７３と、操作レバー７４を有する。この回路遮断器７０は、ノーヒューズブレーカと呼ばれる回路遮断器であり、周知のように、内部には、３相の各相の開閉接点と、過電流が流れたときに、各相の開閉接点を自動的に開路するトリップ機構が内蔵される。各相の開閉接点は、固定接点と、この固定接点に離接可能な可動接点を含む。各相の可動接点は、それらに共通に連結された可動接点軸により支持され、この可動接点軸を回動することにより、各相の可動接点が各相の固定接点に離接する。これらの各相の開閉接点と、可動接点軸と、この可動接点軸に連結される可動接点側アクチュエータは、遮断器ベース７１上に配置される。
【００４８】
回路遮断器のトリップ機構も、周知のように、過電流が流れたときに、可動接点軸を駆
動し、各相の可動接点を各相の固定接点から引き離す。このトリップ機構と、このトリップ機構に連結されるトリップ機構側アクチュエータも遮断器ベース７１上に配置される。可動接点軸には、それを手動操作する操作レバー７４が結合される。この操作レバー７４は、可動接点軸を手動で操作し、各相の開閉接点を手動で閉路または開路するときに使用される。
【００４９】
遮断器ベース７１は、樹脂により構成され、正面７１Ａと、この正面７１Ａと平行な背面７１Ｂを有する。これらの正面７１Ａと背面７１Ｂは、互いに平行な垂直平面であり、互いに対向している。付属装置５０Ａが接続される外部接続端子台６０は、遮断器ベース７１の正面７１Ａまたは背面７１Ｂに隣接するように、取り付けられる。遮断器ベース７１には、正面７１Ａと背面７１Ｂとの間に、各相の開閉空間７１Ｕ、７１Ｖ、７１Ｗが形成される。これらの開閉空間７１Ｕ、７１Ｖ、７１Ｗのそれぞれに各相の開閉接点が配置される。また、各相の開閉空間７１Ｕ、７１Ｖ、７１Ｗを横切るように、可動接点軸が配置され、この可動接点軸が各相の可動接点を駆動する。この可動接点軸に、可動接点側アクチュエータと、トリップ機構と、トリップ機構側アクチュエータと、操作レバー７４が連結される。
【００５０】
遮断器下カバー７２は、樹脂により構成され、遮断器ベース７１を覆うように、遮断器ベース７１の上に配置される。この遮断器下カバー７２は、各相の開閉接点と、可動接点軸と、可動接点側アクチュエータと、トリップ機構と、トリップ機構側アクチュエータを覆う。遮断器下カバー７２は、正面７２Ａと、この正面７２Ａと平行な背面７２Ｂと、正面７２Ａと背面７２Ｂの中間に形成された中央開口７２Ｃと、一対の取付部分７２Ｄ、７２Ｅを有する。遮断器下カバー７２は、遮断器ベース７１の正面７１Ａの上部に正面７２Ａが位置し、また遮断器ベース７１の背面７１Ｂの上部に背面７２Ｂが位置するようにして、遮断器ベース７１の上部に配置される。操作レバー７４は、遮断器下カバー７２の中央開口７２Ｃを通じて、遮断器下カバー７２の上部に突出する。取付部分７２Ｄは、正面７２Ａと中央開口７２Ｃとの間に、また取付部分７２Ｅは、中央開口７２Ｃと背面７２Ｂとの間にそれぞれ形成される。これらの取付部分７２Ｄ、７２Ｅのどちらかに、付属装置５０Ａが取り付けられる。
【００５１】
取付部分７２Ｄ、７２Ｅを代表して、取付部分７２Ｄが図５Ｂに拡大して示される。取付部分７２Ｄは、図５Ｂに示すように、一対の相対向する縦壁７２１、７２２と、縦壁７２１に形成された一対の相対向する横壁７２３、７２４と、縦壁７２２に形成された一対の相対向する横壁７２５、７２６を有する。一対の縦壁７２１、７２２は、正面７２Ａおよび背面７２Ｂに直交する方向に互いに平行に延びている。一対の横壁７２３、７２４は、縦壁７２１から縦壁７２２に向かって互いに平行に延びている。一対の横壁７２５、７２６は、縦壁７２２から縦壁７２１に向かって互いに平行に延びている。横壁７２３、７２５は、正面７２Ａと平行に共通の平面に沿って延びており、また横壁７２４、７２６は正面７２Ａと平行な別の平面に沿って延びている。
【００５２】
縦壁７２１、７２２は、それぞれ垂直取付面７２ａ、７２ｂを形成する。これらの垂直取付面７２ａ、７２ｂは、互いに平行であり、間隔Ｗ１を介して互いに対向している。横壁７２３、７２５は、互いに共通な垂直平面上に垂直取付面７２ｃを形成する。横壁７２４、７２６は、互いに共通な垂直平面上に垂直取付面７２ｄを形成する。垂直取付面７２ｃ、７２ｄは、垂直取付面７２ａ、７２ｂに直交するように形成され、間隔Ｌ１を介して互いに対向している。間隔Ｗ１は、スイッチユニット３０の横幅Ｗ１と同じ寸法とされ、また間隔Ｌ１は、スイッチユニット３０の奥行Ｌ１と同じ寸法とされる。縦壁７２１、７２２、および横壁７２３、７２４、７２５、７２６の上面は、互いに共通な水平取付面７２ｅを形成する。
【００５３】
図５Ａは、実施の形態１の付属装置５０Ａが、図４に示す第１の結合状態とされる前の状態を示している。図５Ａにおいて、接続ユニット１０の遮蔽片１４は、スイッチユニット３０の第２の機能表示部３７Ｂに対応し、接続ユニット１０の遮蔽片１５は、スイッチユニット３０の突出片３３Ｂ上の第２の端子配列表示部３８Ｂに対応し、またスイッチユニット３０の接続ピン３４ａ、３４ｂ、３４ｃは、それぞれ接続ユニット１０の接続プラグ１８ａ、１８ｂ、１８ｃに対応している。この図５Ａに示す状態において、接続ユニット１０とスイッチユニット３０が矢印Ａ１に示すように接近され、第１の結合状態で互いに結合される。
【００５４】
実施の形態１の付属装置５０Ａが、取付部分７２Ｄに取付られるとき、そのスイッチユニット３０は、その正面３２Ａが垂直取付面７２ｃに、その背面３２Ｂが垂直取付面７２ｄに、その第１側面３２Ｅが垂直取付面７２ｂに、その第２側面３２Ｆが垂直取付面７２ａに、それぞれ、ぴったり接触するようにして、取付部分７２Ｄに挿入される。このスイッチユニット３０は、一対の突出片３３Ａ、３３Ｂが、ともに水平取付面７２ｅに当接した状態で、取付部分７２Ｄに保持される。なお、取付部分７２Ｅは、取付部分７２Ｄと対象に形成され、この取付部分７２Ｅに付属装置５０Ａを取り付けることもできる。
【００５５】
複数のリード線１７は、図５Ａに示すように、リード線付設部１３から導出された後、外部接続端子台６０に向かって折り曲げられる。リード線１７が、外部接続端子台６０に向かって折り曲げられた結果、接続ユニット１０の第２側面１２Ｆ側で、上面１２Ｃによる下位面Ｓｄが露出する。
【００５６】
遮断器上カバー７３は、その裏面を示すように、図５の最上部に示される。この遮断器上カバー７３は、遮断器下カバー７２の取付部分７２Ｄまたは７２Ｅに付属装置５０Ａを組み込んだ後で、遮断器下カバー７２の上部を覆うように、取り付けられる。この遮断器上カバー７３には、中央開口７３Ａが形成されており、操作レバー７４は、この中央開口７３Ａを通じて、遮断器上カバー７３から突出する。遮断器上カバー７３が遮断器下カバー７２を覆うように取り付けられたとき、遮断器下カバー７２と対向する遮断器上カバー７３の内面には、付属装置５０Ａの配置状態をチェックするための突起部７３Ｂ、７３Ｃが形成されている。この突起部７３Ｂ、７３Ｃは、取付部分７２Ｄまたは７２Ｅに付属装置５０Ａを取り付けた状態において、垂直取付面７２ａに近い側の接続ユニット１０の上部に対向する位置に配置される。
【００５７】
付属装置５０Ａが取付部分７２Ｄに正常配置された場合、スイッチユニット３０の第１側面３２Ｅが取付部分７２Ｄの垂直取付面７２ｂに接触し、接続ユニット１０の第１側面１２Ｅは、スイッチユニット３０の第１側面３２Ｅと同じ側に向き、リード線付設部１３の上面の上位面Ｓｕは、取付部分７２Ｄの垂直取付面７２ｂに近い側に存在する。この正常配置では、遮断器上カバー７３が遮断器下カバー７２に取り付けられた場合、突起部７３Ｂは、接続ユニット１０におけるリード付設部１３の上位面Ｓｕには当接せずに、その接続ユニット１０の第２側面１２Ｆ側に露出した上面１２Ｃにより形成された下位面Ｓｄに対向する。この下位面Ｓｄは、上位面Ｓｕよりも低く位置するので、突起部７３Ｂが接続ユニット１０に当接することなく、遮断器上カバー７３は、遮断器下カバー７２に取け付られる。
【００５８】
しかし、もし、付属装置５０Ａが、誤って、前記正常配置と逆の逆配置で取付部分７２Ｄに取り付けられた場合には、突起部７３Ｂが、リード付設部１３の上位面Ｓｕに当接する結果となり、遮断器上カバー７３を正常に遮断器下カバー７２に取り付けることができない。前記逆配置では、スイッチユニット３０の第２側面３２Ｆが、取付部分７２Ｄの垂直取付面７２ｂに接触する状態にあり、アクチュエータ３５が誤って回路遮断器のトリップ機構に連結されてしまう。この逆配置では、接続ユニット１０とスイッチユニット３０
が第１の結合状態で結合された状態で、リード付設部１３が垂直取付面７２ａに近い側に存在する結果になるので、突起部７３Ｂが、リード付設部１３の上位面Ｓｕに当接する。結果として、突起部７３Ｂが付属装置５０Ａの正常配置をチェックし、付属装置５０Ａが逆配置で取付部分７２Ｄに取り付けられるのを防止することができる。
【００５９】
なお、付属装置５０Ａを取付部分７２Ｅに取り付ける場合には、外部接続端子台６０は、遮断器ベース７１の背面７１Ｂに隣接して取り付けられる。この場合、遮断器上カバー７３の突起部７３Ｃが、付属装置５０Ａの正常配置をチェックするので、付属装置５０Ａが逆配置で取付部分７２Ｅに取り付けられるのを防止することができる。
【００６０】
［実施の形態２］
次にこの発明による回路遮断器の付属装置の実施の形態２について、図６を参照して説明する。図６は、この発明による回路遮断器の付属装置の実施の形態２を示す正面図である。
【００６１】
この実施の形態２の付属装置５０Ｂは、図１（ａ）（ｂ）に示すリード線付設タイプの接続ユニット１０と、図３（ａ）（ｂ）（ｃ）に示すスイッチユニット３０を組み合わせて構成される。実施の形態２の付属装置５０Ｂでは、これらの接続ユニット１０と、スイッチユニット３０は、第２の結合状態で、互いに結合される。この第２の結合状態では、接続ユニット１０が第１配置状態、スイッチユニット３０が第２配置状態とされた状態で、各ユニット１０、３０が互いに結合される。この実施の形態２における第２の結合状態を実施の形態１における第１の結合状態と対比すると、接続ユニット１０は、第１の結合状態と同じに第１配置状態とされるが、スイッチユニット３０は、第１配置状態から表裏を反転した第２配置状態とされる。言い換えれば、第２の結合状態では、実施の形態１の付属装置５０Ａにおける第１の結合状態と対比して、スイッチユニット３０のみが表裏を反転した第２配置状態とされる。
【００６２】
第２の結合状態でも、第１基準垂直面Ｖ１、Ｖ５が互いに共通の平面上に位置し、また第２基準垂直面Ｖ２、Ｖ６が互いに同じ平面上に位置するようにして、接続ユニット１０の下部に、スイッチユニット３０が結合される。第２基準垂直面Ｖ２、Ｖ６が共通に存在する共通平面を、図６において符号Ｖａで示している。この共通平面Ｖａは、各ユニット１０、３０の第１側面１２Ｅ、３２Ｅと、各ユニット１０、３０の第２側面１２Ｆ、３２Ｆのちょうど中間を通る垂直平面である。
【００６３】
第２の結合状態では、接続ユニット１０が第１配置状態とされ、スイッチユニット３０が第２配置状態とされた状態で、各ユニット１０、３０が互いに結合される。接続ユニット１０の第１配置状態では、接続ユニット１０は、図１（ａ）（ｂ）に示すように、その正面１２Ａが正面を向き、その第１側面１２Ｅが左側を向き、さらに、その第２側面１２Ｆが右側を向く状態にある。スイッチユニット３０の第２配置状態では、スイッチユニット３０は、図３（ａ）（ｂ）（ｃ）に示す第１配置状態と表裏が反転され、その背面３２Ｂが正面を向き、その第２側面３２Ｆが左側を向き、またその第１側面３２Ｅが右側を向く状態にある。
【００６４】
第２の結合状態では、結果として、ユニット１０の正面１２Ａとユニット３０の背面３２Ｂとが正面を向き、ユニット１０の第１側面１２Ｅとユニット３０の第２側面３２Ｆとが左側を向き、またユニット１０の第２側面１２Ｆとユニット３０の第１側面３２Ｅとが右側を向く状態で、各ユニット１０、３０が結合される。この第２の結合状態でも、接続ユニット１０の下面１２Ｄは、スイッチユニット３０の上面３２Ｃに接触する状態となる。
【００６５】
実施の形態２の付属装置５０Ｂでは、接続ユニット１０とスイッチユニット３０との結合は、接続ユニット１０の接続プラグ１８ａ、１８ｂ、１８ｃに、スイッチユニット３０の接続ピン３４ｃ、３４ｂ、３４ａを挿入するプラグイン接続によって行なわれる。実施の形態２の付属装置５０Ｂでは、スイッチユニット３０のみが、第１の結合状態に比べて表裏反転した状態にあるので、接続ピン３４ｃが接続プラグ１８ａに、接続ピン３４ｂが接続プラグ１８ｂに、接続ピン３４ａが接続プラグ１８ｃにそれぞれ密着して嵌め込まれ、これらの接続ピン３４ｃ、３４ｂ、３４ａと接続プラグ１８ａ、１８ｂ、１８ｃとのプラグイン接続により、接続ユニット１０とスイッチユニット３０との結合状態が保持される。接続ユニット１０における接続プラグ１８ａ、１８ｂ、１８ｃの間隔ａと、スイッチユニット３０における接続ピン３４ａ、３４ｂ、３４ｃの間隔ａとが互いに等しいので、スイッチユニット３０のみが表裏反転した第２の結合状態でも、接続ピン３４ｃ、３４ｂ、３４ａは、それぞれ接続プラグ１８ａ、１８ｂ、１８ｃに密着して嵌め込まれる。
【００６６】
各ユニット１０、３０の第２の結合状態において、アクチュエータ３５は、図６に示すように、共通平面Ｖａよりも左側位置に存在する。この左側位置では、付属装置５０Ｂが回路遮断器に取り付けられたときに、アクチュエータ３５は、回路遮断器のトリップ機構側アクチュエータに対向配置され、実施の形態２の付属装置５０Ｂは、回路遮断器のトリップ機構に対応する第２の機能ＡＬを採用する。この第２の機能ＡＬは、警報スイッチ機能とも呼ばれ、付属装置５０Ｂは、回路遮断器のトリップ機構の動作状態に対応する電気信号ＳＡＬを発生する。
【００６７】
各ユニット１０、３０の第２の結合状態では、付属装置５０Ｂが第２の機能ＡＬを採用することに対応して、接続ユニット１０の遮蔽片１４が、第１の機能表示部３７Ａを遮蔽し、また接続ユニット１０の遮蔽片１５が、第１の端子配列表示部３８Ａを遮蔽する。しかし、各ユニット１０、３０の第２の結合状態では、第２の機能表示部３７Ｂは露出され、また第２の端子配列表示部３８Ｂも露出される。結果として、実施の形態２の付属装置５０Ｂでは、第２の機能表示部３７Ｂが露出され、付属装置５０Ｂが第２の機能ＡＸを採用していることを表示する。また、第２の機能ＡＸに対応する第２の端子配列表示部３８Ｂが露出される。
【００６８】
［実施の形態２の付属装置と回路遮断器との関係］
図７は、実施の形態２の付属装置５０Ｂと、それに接続される外部接続端子台６０とを示す分解斜視図である。図７では、回路遮断器７０は省略しているが、付属装置５０Ｂおよび外部接続端子台６０は、図５に示す回路遮断器７０に取り付けられる。
【００６９】
図７は、実施の形態２の付属装置５０Ｂが、図６に示す第２の結合状態とされる前の状態を示している。図７において、接続ユニット１０の遮蔽片１４は、スイッチユニット３０の第１の機能表示部３７Ａに対応し、接続ユニット１０の遮蔽片１５は、スイッチユニット３０の突出片３３Ａ上の第１の端子配列表示部３８Ａに対応し、またスイッチユニット３０の接続ピン３４ｃ、３４ｂ、３４ａは、それぞれ接続ユニット１０の接続プラグ１８ａ、１８ｂ、１８ｃに対応している。この図７に示す状態において、接続ユニット１０とスイッチユニット３０が矢印Ａ２に示すように接近され、第２の結合状態で互いに結合される。
【００７０】
実施の形態２の付属装置５０Ｂは、そのスイッチユニット３０が、図５Ｂに示す取付部分７２Ｄに取り付けられるとき、そのスイッチユニット３０は、その背面３２Ｂが垂直取付面７２ｃに、その正面３２Ａが垂直取付面７２ｄに、その第２側面３２Ｆが垂直取付面７２ｂに、その第１側面３２Ｅが垂直取付面７２ａに、それぞれ、ぴったり接触するように、取付部分７２Ｄに挿入される。このスイッチユニット３０は、一対の突出片３３Ａ、３３Ｂが、ともに水平取付面７２ｅに当接した状態で、取付部分７２Ｄに保持される。な
お、取付部分７２Ｅに実施の形態２の付属装置５０Ｂを取り付けることもできる。
【００７１】
実施の形態２の付属装置５０Ｂでも、遮断器上カバー７３に形成された突起部７３Ｂ、７３Ｃが、付属装置５０Ｂの正常配置をチェックするのに利用される。実施の形態２の付属装置５０Ｂでも、複数のリード線１７は、図７に示すように、リード線付設部１３から導出された後、外部接続端子台６０に向かって折り曲げられる。リード線１７が、外部接続端子台６０に向かって折り曲げられた結果、接続ユニット１０の第２側面１２Ｆ側で、上面１２Ｃによる下位面Ｓｄが露出する。
【００７２】
付属装置５０Ｂが取付部分７２Ｄに正常配置された場合、スイッチユニット３０の第２側面３２Ｆが取付部分７２Ｄの垂直取付面７２ｂに接触しており、接続ユニット１０の第１側面１２Ｅは、スイッチユニット３０の第２側面３２Ｆと同じ側に向き、リード線付設部１３の上面の上位面Ｓｕは、取付部分７２Ｄの垂直取付面７２ｂに近い部分の上部に存在する。この正常配置では、遮断器上カバー７３が遮断器下カバー７２に取り付けられた場合、突起部７３Ｂは、接続ユニット１０におけるリード付設部１３の上位面Ｓｕには当接せずに、その接続ユニット１０の第２側面１２Ｆ側に露出した上面１２Ｃにより形成された下位面Ｓｄに対向する。この下位面Ｓｄは、上位面Ｓｕよりも低く位置するので、突起部７３Ｂが接続ユニット１０に当接することなく、遮断器上カバー７３は、遮断器下カバー７２に取け付られる。
【００７３】
しかし、もし、付属装置５０Ｂが、誤って、前記正常配置と逆の逆配置で取付部分７２Ｄに取り付けられた場合には、突起部７３Ｂが、リード付設部１３の上位面Ｓｕに当接する結果となり、遮断器上カバー７３を正常に遮断器下カバー７２に取り付けることができない。前記逆配置は、スイッチユニット３０の第１側面３２Ｅが、取付部分７２Ｄの取付面７２ｂに接触する状態にあり、アクチュエータ３５が誤って回路遮断器の可動接点軸に連結されてしまう。この逆配置では、接続ユニット１０とスイッチユニット３０とが第２の結合状態で結合された状態で、リード付設部１３が垂直取付面７２ａに近い側に存在する結果になるので、突出部７３Ｂが、リード付設部１３の上位面Ｓｕに当接する。結果として、突起部７３Ｂは、付属装置５０Ｂの正常配置をチェックし、付属装置５０Ｂが逆配置で取付部分７２Ｄに取り付けられるのを防止することができる。
【００７４】
なお、付属装置５０Ｂを取付部分７２Ｅに取り付ける場合には、外部接続端子台６０は、遮断器ベース７１の背面７１Ｂに隣接して取り付けられる。この場合、遮断器上カバー７３の突起部７３Ｃが、付属装置５０Ｂの正常配置をチェックするので、付属装置５０Ｂが逆配置で取付部分７２Ｅに取り付けられるのを防止することができる。
【００７５】
［実施の形態３］
次に、この発明による回路遮断器の付属装置の実施の形態３について、図８を参照して説明する。図８は、この発明による回路遮断器の付属装置の実施の形態３を示す正面図である。
【００７６】
この実施の形態３の付属装置５０Ｃは、図２（ａ）（ｂ）に示す接続端子付設タイプの接続ユニット２０と、図３（ａ）（ｂ）（ｃ）に示すスイッチユニット３０を組み合わせて構成される。実施の形態３の付属装置５０Ｃでは、これらの接続ユニット２０と、スイッチユニット３０は、第１の結合状態で、互いに結合される。この第１の結合状態では、接続ユニット２０とスイッチユニット３０が、ともに第１配置状態とされた状態で、各ユニット２０、３０が互いに結合される。
【００７７】
実施の形態３における第１の結合状態では、第１基準垂直面Ｖ３、Ｖ５が互いに共通の平面上に位置し、また第２基準垂直面Ｖ４、Ｖ６が互いに同じ平面上に位置するようにし
て、接続ユニット２０の下部に、スイッチユニット３０が結合される。第２基準垂直面Ｖ４、Ｖ６が共通に存在する共通平面を、図８において符号Ｖａで示している。この共通平面Ｖａは、各ユニット２０、３０の第１側面２２Ｅ、３２Ｅと、各ユニット２０、３０の第２側面２２Ｆ、３２Ｆのちょうど中間を通る垂直平面である。
【００７８】
実施の形態３における第１の結合状態では、接続ユニット２０およびスイッチユニット３０は、ともに第１配置状態となって、互いに結合される。接続ユニット２０の第１配置状態では、接続ユニット２０は、図２（ａ）（ｂ）に示すように、その正面２２Ａが正面を向き、その第１側面２２Ｅが左側を向き、またその第２側面２２Ｆが右側を向く状態にある。スイッチユニット３０の第１配置状態では、スイッチユニット３０は、図３（ａ）（ｂ）（ｃ）に示すように、その正面３２Ａが正面を向き、その第１側面３２Ｅが左側を向き、またその第２側面３２Ｆが右側を向く状態にある。
【００７９】
実施の形態３における第１の結合状態では、結果として、各ユニット２０、３０の正面２２Ａ、３２Ａがともに正面を向き、各ユニット２０、３０の第１側面２２Ｅ、３２Ｅがともに左側を向き、また、各ユニット２０、３０の第２側面２２Ｆ、３２Ｆがともに右側を向く状態で、各ユニット２０、３０が結合される。この第１の結合状態では、接続ユニット２０の下面２２Ｄは、スイッチユニット３０の上面３２Ｃに接触する状態となる。
【００８０】
実施の形態３の付属装置５０Ｃでは、接続ユニット２０とスイッチユニット３０との結合は、接続ユニット２０の接続プラグ２８ａ、２８ｂ、２８ｃに、スイッチユニット３０の接続ピン３４ａ、３４ｂ、３４ｃを挿入するプラグイン接続によって行なわれる。実施の形態３の付属装置５０Ｃでは、接続ピン３４ａが接続プラグ２８ａに、接続ピン３４ｂが接続プラグ２８ｂに、接続ピン３４ｃが接続プラグ２８ｃにそれぞれ密着して嵌め込まれ、これらの接続ピン３４ａ、３４ｂ、３４ｃと接続プラグ２８ａ、２８ｂ、２８ｃとのプラグイン接続により、接続ユニット２０とスイッチユニット３０との結合状態が保持される。接続ユニット２０における接続プラグ２８ａ、２８ｂ、２８ｃの間隔ａと、スイッチユニット３０における接続ピン３４ａ、３４ｂ、３４ｃの間隔ａとが互いに等しいので、接続ピン３４ａ、３４ｂ、３４ｃは、それぞれ接続プラグ２８ａ、２８ｂ、２８ｃに密着して嵌め込まれる。
【００８１】
各ユニット２０、３０の第１の結合状態において、アクチュエータ３５は、図８に示すように、共通平面Ｖａよりも右側位置に存在する。この右側位置では、実施の形態３の付属装置５０Ｃが回路遮断器に取り付けられたときに、アクチュエータ３５は、回路遮断器の可動接点側アクチュエータに対向配置され、付属装置５０Ｃは、回路遮断器の開閉接点の開閉状態に対応する第１の機能ＡＸを採用する。この第１の機能ＡＸは、実施の形態１の付属装置５０Ａと同じ機能であり、付属装置５０Ｃは、回路遮断器の開閉接点の開閉状態に対応する電気信号ＳＡＸを発生する。
【００８２】
各ユニット２０、３０の第１の結合状態では、付属装置５０Ｃが第１の機能ＡＸを採用することに対応して、接続ユニット２０の遮蔽片２４が、第２の機能表示部３７Ｂを遮蔽し、また接続ユニット２０の遮蔽片２５が、第２の端子配列表示部３８Ｂを遮蔽する。しかし、各ユニット２０、３０の第１の結合状態では、第１の機能表示部３７Ａは露出され、また第１の端子配列表示部３８Ａも露出される。結果として、実施の形態３の付属装置５０Ｃでは、第１の機能表示部３７Ａが露出され、付属装置５０Ｃが第１の機能ＡＸを採用していることを表示する。また、第１の機能ＡＸに対応する第１の端子配列表示部３８Ａが露出される。
【００８３】
［実施の形態３の付属装置と回路遮断器との関係］
図９は、実施の形態３の付属装置５０Ｃと、それが取り付けられる回路遮断器７０とを
示す分解斜視図である。実施の形態３の付属装置５０Ｃでは、複数の接続端子２７に電気信号ＳＡＸが出力され、付属装置５０Ｃと別に準備されたリード線が接続端子２７に接続され電気信号ＳＡＸを導出し、外部接続端子台６０は、使用されない。実施の形態３の付属装置５０Ｃは、回路遮断器７０の遮断器下カバー７２の取付部分７２Ｄまたは７２Ｅに取り付けられる。回路遮断器７０は、図５に示されたものと同じに構成される。
【００８４】
図９Ａは、実施の形態３の付属装置５０Ｃが、図８に示す第１の結合状態とされる前の状態を示している。図９Ａにおいて、接続ユニット２０の遮蔽片２４は、スイッチユニット３０の第２の機能表示部３７Ｂに対応し、接続ユニット２０の遮蔽片２５は、スイッチユニット３０の突出片３３Ｂ上の第２の端子配列表示部３８Ｂに対応し、またスイッチユニット３０の接続ピン３４ａ、３４ｂ、３４ｃは、それぞれ接続ユニット２０の接続プラグ２８ａ、２８ｂ、２８ｃに対応している。この図９Ａに示す状態において、接続ユニット２０とスイッチユニット３０が矢印Ａ３に示すように接近され、第１の結合状態で互いに結合される。
【００８５】
実施の形態３の付属装置５０Ｃは、そのスイッチユニット３０が、図５Ｂに示す取付部分７２Ｄに取付られるとき、そのスイッチユニット３０は、その正面３２Ａが垂直取付面７２ｃに、その背面３２Ｂが垂直取付面７２ｄに、その第１側面３２Ｅが垂直取付面７２ｂに、その第２側面３２Ｆが垂直取付面７２ａに、それぞれ、ぴったり接触するように、取付部分７２Ｄに挿入される。このスイッチユニット３０は、一対の突出片３３Ａ、３３Ｂが、ともに水平取付面７２ｅに当接した状態で、取付部分７２Ｄに保持される。なお、取付部分７２Ｅに実施の形態３の付属装置５０Ｃを取り付けることもできる。
【００８６】
実施の形態３の付属装置５０Ｃでも、遮断器上カバー７３に形成された突起部７３Ｂ、７３Ｃが、付属装置５０Ｃの正常配置をチェックするのに利用される。この突起部７３Ｂ、７３Ｃは、取付部分７２Ｄまたは７２Ｅに付属装置５０Ｃを取り付けた状態において、垂直取付面７２ａに近い側の接続ユニット１０の上部に対向する位置に配置される。付属装置５０Ｃが取付部分７２Ｄに正常配置された場合、スイッチユニット３０の第１側面３２Ｅが取付部分７２Ｄの垂直取付面７２ｂに接触しており、接続ユニット２０の第１側面２２Ｅは、スイッチユニット３０の第１側面３２Ｅと同じ側に向き、接続端子２８ａによる上位面Ｓｕは、垂直取付面７２ｂに近い側の上部に存在する。この正常配置では、遮断器上カバー７３が遮断器下カバー７２に取り付けられた場合、突起部７３Ｂは、接続ユニット２０における接続端子２８ａの上位面Ｓｕには当接せずに、接続端子２７ｃにより形成された下位面Ｓｄに対向する。この下位面Ｓｄは、上位面Ｓｕよりも低く位置するので、突起部７３Ｂが接続ユニット２０に当接することなく、遮断器上カバー７３は、遮断器下カバー７２に取り付けられる。
【００８７】
しかし、もし、付属装置５０Ｃが、誤って、前記正常配置と逆の逆配置で取付部分７２Ｄに取付られた場合には、突起部７３Ｂが、接続端子２８ａによる上位面Ｓｕに当接する結果となり、遮断器上カバー７３を正常に遮断器下カバー７２に取り付けることができない。前記逆配置は、スイッチユニット３０の第２側面３２Ｆが、取付部分７２Ｄの垂直取付面７２ｂに接触する状態にあり、アクチュエータ３５が誤って回路遮断器の可動接点軸に連結されてしまう。この逆配置では、接続ユニット２０とスイッチユニット３０とが第１の結合状態で結合された状態で、接続端子２８ａが垂直取付面７２ａに近い側の上部に存在する結果になるので、突起部７３Ｂが、接続端子２８ａによる上位面Ｓｕに当接する。結果として、突起部７３Ｂが付属装置５０Ｃの正常配置をチェックし、付属装置５０Ｃが逆配置で取付部分７２Ｄに取り付けられるのを防止することができる。
【００８８】
なお、付属装置５０Ｃを取付部分７２Ｅに取り付ける場合には、遮断器上カバー７３の突起部７３Ｃが、付属装置５０Ｃの正常配置をチェックするので、付属装置５０Ｃが逆配
置で取付部分７２Ｅに取り付けられるのを防止することができる。
【００８９】
［実施の形態４］
次にこの発明による回路遮断器の付属装置の実施の形態４について、図１０を参照して説明する。図１０は、この発明による回路遮断器の付属装置の実施の形態４を示す正面図である。
【００９０】
この実施の形態４の付属装置５０Ｄは、図２（ａ）（ｂ）に示す接続端子付設タイプの接続ユニット２０と、図３（ａ）（ｂ）（ｃ）に示すスイッチユニット３０を組み合わせて構成される。実施の形態４の付属装置５０Ｄでは、これらの接続ユニット２０と、スイッチユニット３０は、第２の結合状態で、互いに結合される。この第２の結合状態では、接続ユニット２０が第１配置状態、スイッチユニット３０が第２配置状態とされた状態で、各ユニット２０、３０が互いに結合される。この実施の形態４における第２の結合状態を実施の形態３における第１の結合状態と対比すると、接続ユニット２０は、第１の結合状態と同じに第１配置状態とされるが、スイッチユニット３０は、第１配置状態から表裏を反転した第２配置状態とされる。言い換えれば、実施の形態４における第２の結合状態では、実施の形態３の付属装置５０Ｃにおける第１の結合状態と対比して、スイッチユニット３０のみが表裏を反転した第２配置状態とされる。
【００９１】
実施の形態４における第２の結合状態でも、第１基準垂直面Ｖ３、Ｖ５が互いに共通の平面上に位置し、また第２基準垂直面Ｖ４、Ｖ６が互いに同じ平面上に位置するようにして、接続ユニット２０の下部に、スイッチユニット３０が結合される。第２基準垂直面Ｖ４、Ｖ６が共通に存在する共通平面を、図１０において符号Ｖａで示している。この共通平面Ｖａは、各ユニット２０、３０の第１側面２２Ｅ、３２Ｅと、各ユニット２０、３０の第２側面２２Ｆ、３２Ｆのちょうど中間を通る垂直平面である。
【００９２】
実施の形態４における第２の結合状態では、接続ユニット２０が第１配置状態とされ、スイッチユニット３０が第２配置状態とされた状態で、各ユニット２０、３０が互いに結合される。接続ユニット２０の第１配置状態では、接続ユニット２０は、図２（ａ）（ｂ）に示すように、その正面２２Ａが正面を向き、その第１側面２２Ｅが左側を向き、またその第２側面２２Ｆが右側を向く状態にある。スイッチユニット３０の第２配置状態では、スイッチユニット３０は、図３（ａ）（ｂ）（ｃ）に示す第１配置状態と表裏が反転され、その背面３２Ｂが正面を向き、その第２側面３２Ｆが左側を向き、またその第１側面３２Ｅが右側を向く状態にある。
【００９３】
実施の形態４における第２の結合状態では、結果として、ユニット２０の正面２２Ａとユニット３０の背面３２Ｂとが正面を向き、ユニット２０の第１側面２２Ｅとユニット３０の第２側面３２Ｆとが左側を向き、またユニット２０の第２側面２２Ｆとユニット３０の第１側面３２Ｅとが右側を向く状態で、各ユニット２０、３０が結合される。この第２の結合状態でも、接続ユニット２０の下面２２Ｄは、スイッチユニット３０の上面３２Ｃに接触する状態となる。
【００９４】
実施の形態４の付属装置５０Ｄでは、接続ユニット２０とスイッチユニット３０との結合は、接続ユニット２０の接続プラグ２８ａ、２８ｂ、２８ｃに、スイッチユニット３０の接続ピン３４ｃ、３４ｂ、３４ａを挿入するプラグイン接続によって行なわれる。実施の形態４の付属装置５０Ｄでは、スイッチユニット３０のみが、第１の結合状態に比べて表裏反転した状態にあるので、接続ピン３４ｃが接続プラグ２８ａに、接続ピン３４ｂが接続プラグ２８ｂに、接続ピン３４ａが接続プラグ２８ｃにそれぞれ密着して嵌め込まれ、これらの接続ピン３４ｃ、３４ｂ、３４ａと接続プラグ２８ａ、２８ｂ、２８ｃとのプラグイン接続により、接続ユニット２０とスイッチユニット３０との結合状態が保持される。接続ユニット２０における接続プラグ２８ａ、２８ｂ、２８ｃの間隔ａと、スイッチユニット３０における接続ピン３４ａ、３４ｂ、３４ｃの間隔ａとが互いに等しいので、スイッチユニット３０のみが表裏反転した第２の結合状態でも、接続ピン３４ｃ、３４ｂ、３４ａは、それぞれ接続プラグ２８ａ、２８ｂ、２８ｃに密着して嵌め込まれる。
【００９５】
各ユニット２０、３０の第２の結合状態において、アクチュエータ３５は、図１０に示すように、共通平面Ｖａよりも左側位置に存在する。この左側位置では、実施の形態４の付属装置５０Ｄが回路遮断器に取り付けられたときに、アクチュエータ３５は、回路遮断器のトリップ機構側アクチュエータに対向配置され、付属装置５０Ｄは、回路遮断器のトリップ機構に対応する第２の機能ＡＬを採用する。この第２の機能ＡＬは、実施の形態２で採用された機能と同じであり、実施の形態４の付属装置５０Ｄは、回路遮断器のトリップ機構の動作状態に対応する電気信号ＳＡＬを発生する。
【００９６】
各ユニット２０、３０の第２の結合状態では、実施の形態４の付属装置５０Ｄが第２の機能ＡＬを採用することに対応して、接続ユニット２０の遮蔽片２４が、第１の機能表示部３７Ａを遮蔽し、また接続ユニット２０の遮蔽片２５が、第１の端子配列表示部３８Ａを遮蔽する。しかし、各ユニット２０、３０の第２の結合状態では、第２の機能表示部３７Ｂは露出され、また第２の端子配列表示部３８Ｂも露出される。結果として、実施の形態４の付属装置５０Ｄでは、第２の機能表示部３７Ｂが露出され、付属装置５０Ｄが第２の機能ＡＸを採用していることを表示する。また、第２の機能ＡＸに対応する第２の端子配列表示部３８Ｂが露出される。
【００９７】
［実施の形態４の付属装置５０Ｄと回路遮断器との関係］
図１１は、実施の形態４の付属装置５０Ｄが、図１０に示す第２の結合状態とされる前の状態を示している。図１１において、接続ユニット２０の遮蔽片２４は、スイッチユニット３０の第１の機能表示部３７Ａに対応し、接続ユニット２０の遮蔽片２５は、スイッチユニット３０の突出片３３Ａ上の第２の端子配列表示部３８Ａに対応し、またスイッチユニット３０の接続ピン３４ｃ、３４ｂ、３４ａは、それぞれ接続ユニット２０の接続プラグ２８ａ、２８ｂ、２８ｃに対応している。この図１１に示す状態において、接続ユニット２０とスイッチユニット３０が矢印Ａ４に示すように接近され、第２の結合状態で互いに結合される。
【００９８】
実施の形態４の付属装置５０Ｄは、そのスイッチユニット３０が、図５Ｂに示す取付部分７２Ｄに取り付けられるとき、そのスイッチユニット３０は、その背面３２Ｂが垂直取付面７２ｃに、その正面３２Ａが垂直取付面７２ｄに、その第２側面３２Ｆが垂直取付面７２ｂに、その第１側面３２Ｅが垂直取付面７２ａに、それぞれ、ぴったり接触するように、取付部分７２Ｄに挿入される。このスイッチユニット３０は、一対の突出片３３Ａ、３３Ｂが、ともに水平取付面７２ｅに当接した状態で、取付部分７２Ｄに保持される。なお、取付部分７２Ｅに実施の形態４の付属装置５０Ｄを取り付けることもできる。
【００９９】
実施の形態４の付属装置５０Ｄでも、遮断器上カバー７３に形成された突起部７３Ｂ、７３Ｃが、付属装置５０Ｄの正常配置をチェックするのに利用される。実施の形態４の付属装置５０Ｄが取付部分７２Ｄに正常配置された場合、スイッチユニット３０の第２側面３２Ｆが取付部分７２Ｄの垂直取付面７２ｂに接触しており、接続ユニット２０の第１側面２２Ｅは、スイッチユニット３０の第２側面３２Ｆと同じ側に向き、接続端子２７ａの上面の上位面Ｓｕは、取付部分７２Ｄの垂直取付面７２ｂに近い側の上部に存在する。この正常配置では、遮断器上カバー７３が遮断器下カバー７２に取り付けられた場合、突起部７３Ｂは、接続ユニット２０における接続端子２７ａの上位面Ｓｕには当接せずに、接続端子２７ｃにより形成された下位面Ｓｄに対向する。この下位面Ｓｄは、上位面Ｓｕよりも低く位置するので、突起部７３Ｂが接続ユニット２０に当接することなく、遮断器上
カバー７３は、遮断器下カバー７２に取け付られる。
【０１００】
しかし、もし、付属装置５０Ｄが、誤って、前記正常配置と逆の逆配置で取付部分７２Ｄに取付られた場合には、突起部７３Ｂが、接続端子２７ａによる上位面Ｓｕに当接する結果となり、遮断器上カバー７３を正常に遮断器下カバー７２に取り付けることができない。前記逆配置では、スイッチユニット３０の第１側面３２Ｅが、取付部分７２Ｄの垂直取付面７２ｂに接触する状態にあり、アクチュエータ３５が誤って回路遮断器の可動接点軸に連結されてしまう。この逆配置では、接続ユニット２０とスイッチユニット３０とが第２の結合状態で結合された状態で、接続端子２７ａが垂直取付面７２ａに近い側に存在する結果になるので、突出部７３Ｂが、接続端子２７ａによる上位面Ｓｕに当接する。結果として、突起部７３Ｂが付属装置５０Ｄの正常配置をチェックし、付属装置５０Ｄが逆配置で取付部分７２Ｄに取り付けられるのを防止することができる。
【０１０１】
なお、付属装置５０Ｄを取付部分７２Ｅに取り付ける場合には、遮断器上カバー７３の突起部７３Ｃが、付属装置５０Ｄの正常配置をチェックするので、付属装置５０Ｄが逆配置で取付部分７２Ｅに取り付けられるのを防止することができる。
【０１０２】
［各実施の形態１〜４の効果］
実施の形態１〜４による回路遮断器の付属装置５０Ａ〜５０Ｄは、電気信号を発生するスイッチユニット３０と、電気信号を外部へ出力する接続ユニット１０または２０を有し、前記スイッチユニットと接続ユニットが、互いに着脱可能に結合可能に結合されたので、その付属装置の主要部品であるスイッチユニット３０は、実施の形態１、２におけるリード線付設タイプの接続ユニット１０、および実施の形態３、４における接続端子付設タイプの接続ユニット２０に共用することができ、その付属装置５０Ａ〜５０Ｄの製造コストを低減することができる。
【０１０３】
実施の形態１〜４による回路遮断器の付属装置５０Ａ〜５０Ｄは、スイッチユニット３０と接続ユニット１０または２０が、プラグイン接続により、互いに着脱可能に結合されるので、スイッチユニット３０と接続ユニット１０または２０とを簡単に着脱することができる。
【０１０４】
また、実施の形態１、２による付属装置５０Ａ、５０Ｂは、接続ユニット１０がリード線付設タイプの接続ユニットとして構成され、電気信号を導出する接続リード１７を有するので、接続リード１７により、電気信号を回路遮断器７０の外部に容易に導出することができる。
【０１０５】
また、実施の形態３、４による付属装置５０Ｃ、５０Ｄは、接続ユニット２０が接続端子付設タイプの接続ユニットとして構成され、電気信号を出力する接続端子２７を有するので、接続端子２７に接続された別のリード線により、電気信号を容易に供給することができる。
【０１０６】
また、実施の形態１、２または３、４による付属装置５０Ａ、５０Ｂまたは５０Ｃ、５０Ｄは、さらに、開閉接点の開閉状態に対応して電気信号を出力する第１の機能ＡＸと、トリップ機構の作動状態に対応して電気信号を出力する第２の機能ＡＬとのいずれかを選択できるように構成され、スイッチユニット３０と接続ユニット１０または２０は、前記第１の機能ＡＸが選択されるときには、第１の結合状態で結合され、また前記第２の機能ＡＬが選択されるときには、第２の結合状態で結合されるので、第１の機能ＡＸと第２の機能ＡＬを選択することができ、第１の機能ＡＸと第２の機能ＡＬについて、付属装置を共用し、その付属装置の製造コストをさらに低減することができる。
【０１０７】
また、実施の形態１〜４による付属装置５０Ａ〜５０Ｄでは、スイッチユニット３０がほぼ箱形形状とされ、相対向する第１、第２側面３０Ｅ、３０Ｆを有し、第１の結合状態では、第１側面が所定方向、例えば左側に向く状態で接続ユニット１０または２０と結合され、また、第２の結合状態では、第２側面３０Ｆが前記所定方向に向く状態で接続ユニット１０または２０と結合されるので、第１、第２の機能ＡＸ、ＡＬを容易に選択することができる。
【０１０８】
また、実施の形態１〜４による付属装置５０Ａ〜５０Ｄでは、スイッチユニット３０が、第１の機能ＡＸに対応した第１の機能表示部３７Ａと、第２の機能ＡＬに対応した第２の機能表示部３７Ｂを有し、第１の結合状態では、接続ユニット１０または２０が第１の機能表示部３７Ａを露出し、第２の機能表示部３７Ｂを遮蔽するようにスイッチユニット３０と結合され、また、第２の結合状態では、接続ユニット１０または２０が第１の機能表示部３７Ａを遮蔽し、第２の機能表示部３７Ｂを露出するようにスイッチユニット３０と結合されるので、第１、第２の機能ＡＸ、ＡＬを簡単に表示することができる。
【０１０９】
また、実施の形態１〜４による付属装置５０Ａ〜５０Ｄでは、スイッチユニット３０が、第１の機能ＡＸに対応した第１の端子配列表示部３８Ａと、第２の機能ＡＬに対応した第２の端子配列表示部３８Ｂを有し、第１の結合状態では、接続ユニット１０または２０が第１の端子配列表示部３８Ａを露出し、第２の端子配列表示部３８Ｂを遮蔽するようにスイッチユニット３０と結合され、また、第２の結合状態では、接続ユニット１０または２０が第１の端子配列表示部３８Ａを遮蔽し、第２の端子配列表示部３８Ｂを露出するようにスイッチユニット３０と結合されるので、第１、第２の機能ＡＸ、ＡＬに対応する端子配列を簡単に表示することができる。
【０１１０】
また、実施の形態１〜４による付属装置５０Ａ〜５０Ｄでは、接続ユニット１０、２０が、上面の一側に突出した上位面Ｓｕと、その上面の他側に上位面Ｓｕよりも低く位置する下位面Ｓｄを有するので、これらに上位面Ｓｕおよび下位面Ｓｄに基づいて、付属装置５０Ａ〜５０Ｄの正常配置をチェックすることができる。
【０１１１】
また、開閉接点および過電流に応じて前記開閉接点を開路するトリップ機構が配置される遮断器ベース７１と、この遮断器ベース７１上に配置された遮断器下カバー７２と、この遮断器下カバーを覆うように取付けられた遮断器上カバー７３とを備え、遮断器下カバー７２に形成された取付部分７２Ｄまたは７２Ｅに、実施の形態１〜４による付属装置５０Ａ〜５０Ｄを取り付けた回路遮断器７０でも、付属装置の製造コストの低減に基づいて、その製造価格を低減することができる。また、第１の機能ＡＸと第２の機能ＡＬを選択できる付属装置５０Ａ〜５０Ｄを備えた回路遮断器７０では、第１の機能ＡＸと第２の機能ＡＬを選択した回路遮断器を得ることができ、さらに、回路遮断器の製造コストをさらに、低減することができる。
【０１１２】
さらに、上位面Ｓｕと下位面Ｓｄを有する接続ユニット１０、２０をスイッチユニット３０と結合した付属装置５０Ａ〜５０Ｄを、遮断器下カバー７２の取付部分７２Ｄまたは７２Ｅに装着し、また、遮断器上カバー７３が、突出部７３Ｂまたは７３Ｃを有し、付属装置５０Ａ〜５０Ｄが正常配置された状態では、突出部７３Ｂまたは７３Ｃが下位面Ｓｄに対向し、また付属装置５０Ａ〜５０Ｄが正常配置と逆配置されたされた状態では、突出部７３Ｂまたは７３Ｃが上位面Ｓｕに当接するようにした回路遮断器７０では、付属装置５０Ａ〜５０Ｄの正常配置を簡単にチェックすることができる。
【産業上の利用可能性】
【０１１３】
この発明による回路遮断器の付属装置は、回路遮断器に付属して利用され、また、この発明による回路遮断器は、電気回路を開閉する回路遮断器として利用される。
【図面の簡単な説明】
【０１１４】
【図１】図１（ａ）（ｂ）は、この発明による回路遮断器の付属装置に使用されるリード線付設タイプの接続ユニットを示す正面図と上面図である。
【図２】図２（ａ）（ｂ）は、この発明による回路遮断器の付属装置に使用される接続端子付設タイプの接続ユニットを示す正面図と上面図である。
【図３】図３（ａ）（ｂ）（ｃ）は、この発明による回路遮断器の付属装置に使用されるスイッチユニットの正面図と上面図と背面図である。
【図４】図４は、この発明による回路遮断器の付属装置の実施の形態１を示す正面図である。
【図５】図５は、実施の形態１による付属装置と、それに接続される外部接続端子台と、その付属装置を組み込む回路遮断器とを示す分解斜視図である。
【図５Ａ】図５Ａは、実施の形態１による付属装置の結合前の状態を示す分解斜視図である。
【図５Ｂ】図５Ｂは、実施の形態１による付属装置に対する回路遮断器の取付部分を示す斜視図である。
【図６】図６は、この発明による回路遮断器の付属装置の実施の形態２を示す正面図である。
【図７】図７は、実施の形態２による付属装置と、それに接続される外部接続端子台とを示す分解斜視図である。
【図８】図８は、この発明による回路遮断器の付属装置の実施の形態３を示す正面図である。
【図９】図９は、実施の形態３による付属装置と、その付属装置を組み込む回路遮断器とを示す分解斜視図である。
【図９Ａ】図９Ａは、実施の形態３による付属装置の結合前の状態を示す分解斜視図である。
【図１０】図１０は、この発明による回路遮断器の付属装置の実施の形態４を示す正面図である。
【図１１】図１１は、実施の形態４による付属装置の結合前の状態を示す分解斜視図である。
【符号の説明】
【０１１５】
１０：リード線付設タイプの接続ユニット、１２Ｅ：第１側面、１２Ｆ：第２側面、
１７：リード線、１８：接続プラグ、
２０：接続端子付設タイプの接続ユニット、２２Ｅ；第１側面、２２Ｆ：第２側面、
２７：接続端子、２８：接続プラグ、
３０：スイッチユニット、３２Ｅ：第１側面、３２Ｆ：第２側面、３４：接続ピン、
３５：アクチュエータ、３７Ａ：第１の機能表示部、３７Ｂ：第２の機能表示部、
３８Ａ：第１の端子配列表示部、３８Ｂ：第２の端子配列表示部、
５０Ａ、５０Ｂ、５０Ｃ、５０Ｄ：付属装置、６０：外部接続端子台、
７０：回路遮断器、７１：遮断器ベース、７２：遮断器下カバー、
７２Ｄ、７２Ｅ：取付部分、７３：遮断器上カバー、７３Ｂ、７３Ｃ：突出部。
【図１】
2009181784.tif 000003
【図２】
2009181784.tif 000004
【図３】
2009181784.tif 000005
【図４】
2009181784.tif 000006
【図５】
2009181784.tif 000007
【図５Ａ】
2009181784.tif 000008
【図５Ｂ】
2009181784.tif 000009
【図６】
2009181784.tif 000010
【図７】
2009181784.tif 000011
【図８】
2009181784.tif 000012
【図９】
2009181784.tif 000013
【図９Ａ】
2009181784.tif 000014
【図１０】
2009181784.tif 000015
【図１１】
2009181784.tif 000016